(57)【特許請求の範囲】
【請求項１】
テレビジョン映像信号に対応するテレビジョン映像と部分映像信号に対応する部分映像とを合成した合成映像をＣＲＴに表示する映像表示装置において、
前記テレビジョン映像信号から輝度信号を抽出する抽出手段、
前記輝度信号を微分する微分手段、
前記微分手段の出力にクランプをかけるクランプ手段、
前記微分手段の出力および前記クランプ手段の出力の一方を選択する選択手段、
前記部分映像の表示位置に応じて前記選択手段を制御する制御手段、および
前記選択手段の出力に基づいて前記合成映像に対応する電子ビームに速度変調をかける速度変調手段を備え、
前記クランプ手段は前記テレビジョン映像信号のペデスタル期間にクランプ処理を行うことを特徴とする、映像表示装置。
【請求項２】
テレビジョン映像信号に対応するテレビジョン映像と部分映像信号に対応する部分映像とを合成した合成映像をＣＲＴに表示する映像表示装置において、
前記テレビジョン映像信号から輝度信号を抽出する抽出手段、
前記輝度信号を微分する微分手段、
前記微分手段の出力から高域周波数成分を除去するフィルタ手段、
前記微分手段の出力および前記フィルタ手段の出力の一方を選択する選択手段、
前記部分映像の表示位置に応じて前記選択手段を制御する制御手段、および
前記選択手段の出力に基づいて前記合成映像に対応する電子ビームに速度変調をかける速度変調手段を備えることを特徴とする、映像表示装置。
【請求項３】
前記部分映像信号は前記テレビジョン映像信号に多重された文字信号である、請求項１または２記載の映像表示装置。
【発明の詳細な説明】
【０００１】
【産業上の利用分野】
この発明は、映像表示装置に関し、たとえばテレビジョン受像機に適用され、テレビジョン映像信号に対応するテレビジョン映像と部分映像信号に基づく部分映像とを合成した合成映像をＣＲＴに表示する、映像表示装置に関する。
【０００２】
【従来の技術】
この種の映像表示装置では、図６（Ａ）に示す輝度信号に基づいて、電子ビームに速度変調をかける場合、次のような処理が行われる。まず、輝度信号が微分回路によって微分され、図６（Ｂ）に示す微分信号が検出される。この微分信号に基づく電流を速度変調コイルに流すと、水平偏向磁界が速度変調コイルの磁界によって変調される。このため、偏向電流も図６（Ｃ）に示すように変調される。この変調作用によって、偏向速度は輝度信号の立ち上がりの期間で加速、立ち下がり期間で減速される。つまり、電子ビームの速度が制御されて、図６（Ｄ）から分かるように、輝度は、加速部分で発光時間が短いために暗くなり、減速部分で発光時間が長いために明るくなる。これによって、シャープな映像がＣＲＴに表示される。
【０００３】
【発明が解決しようとする課題】
しかし、従来の映像表示装置では、テレビジョン映像のみをＣＲＴに表示する場合と、たとえば文字情報（部分映像）をＰＩＰ（Ｐｉｃｔｕｒｅ  Ｉｎ  Ｐｉｃｔｕｒｅ）方式でＣＲＴに表示する場合とに関係なく、テレビジョン映像信号に基づいて速度変調が行われていた。この結果、文字情報を表示するとき、この文字情報の表示部分にもテレビジョン映像信号に基づく速度変調がかけられてしまい、画質が劣化してしまうという問題があった。
【０００４】
それゆえに、この発明の主たる目的は、テレビジョン映像と部分映像とを合成してＣＲＴに表示するときに画質が劣化するのを防止することができる、映像表示装置を提供することである。
【０００５】
【課題を解決するための手段】
第１の発明に従う映像表示装置は、テレビジョン映像信号に対応するテレビジョン映像と部分映像信号に対応する部分映像とを合成した合成映像をＣＲＴに表示する映像表示装置において、テレビジョン映像信号から輝度信号を抽出する抽出手段、輝度信号を微分する微分手段、微分手段の出力にクランプをかけるクランプ手段、微分手段の出力およびクランプ手段の出力の一方を選択する選択手段、部分映像の表示位置に応じて選択手段を制御する制御手段、および選択手段の出力に基づいて合成映像に対応する電子ビームに速度変調をかける速度変調手段を備え、クランプ手段はテレビジョン映像信号のペデスタル期間にクランプ処理を行うことを特徴とする。
【０００６】
第２の発明に従う映像表示装置は、テレビジョン映像信号に対応するテレビジョン映像と部分映像信号に対応する部分映像とを合成した合成映像をＣＲＴに表示する映像表示装置において、テレビジョン映像信号から輝度信号を抽出する抽出手段、輝度信号を微分する微分手段、微分手段の出力から高域周波数成分を除去するフィルタ手段、微分手段の出力およびフィルタ手段の出力の一方を選択する選択手段、部分映像の表示位置に応じて選択手段を制御する制御手段、および選択手段の出力に基づいて合成映像に対応する電子ビームに速度変調をかける速度変調手段を備えることを特徴とする。
【０００７】
【作用】
第１の発明では、テレビジョン映像信号に対応するテレビジョン映像と部分映像信号に対応する部分映像とを合成した合成映像をＣＲＴに表示するとき、まず、抽出手段がテレビジョン映像信号から輝度信号を抽出する。抽出された輝度信号は微分手段によって微分され、微分手段の出力はクランプ手段によってクランプをかけられる。選択手段は、部分映像の表示位置に応じて、微分手段の出力およびクランプ手段の出力の一方を選択する。速度変調手段は、選択手段の出力に基づいて、合成映像に対応する電子ビームに速度変調をかける。
【０００８】
クランプ手段は、好ましくは、テレビジョン映像信号のペデスタル期間で微分信号にクランプをかける。また、部分映像信号は、好ましくはテレビジョン映像信号に多重された文字信号である。
【０００９】
第２の発明では、テレビジョン映像信号に対応するテレビジョン映像と部分映像信号に対応する部分映像とを合成した合成映像をＣＲＴに表示するとき、まず、抽出手段がテレビジョン映像信号から輝度信号を抽出する。抽出された輝度信号は微分手段によって微分され、微分手段の出力はフィルタ手段によって高域周波数成分の除去処理を施される。選択手段は、部分映像の表示位置に応じて、微分手段の出力およびフィルタ手段の出力の一方を選択する。速度変調手段は、選択手段の出力に基づいて、合成映像に対応する電子ビームに速度変調をかける。
【００１０】
部分映像信号は、好ましくはテレビジョン映像信号に多重された文字信号である。
【００１１】
【発明の効果】
第１の発明によれば、部分映像の表示位置に応じて微分手段の出力およびクランプ手段の出力の一方を選択し、選択手段の出力に基づいて速度変調をかけるようにしたため、合成映像をＣＲＴに表示するでも、画質が劣化することはない。
【００１２】
第２の発明によれば、部分映像の表示位置に応じて微分手段の出力およびフィルタ手段の出力の一方を選択し、選択手段の出力に基づいて速度変調をかけるようにしたため、合成映像をＣＲＴに表示するでも、画質が劣化することはない。
【００１３】
この発明の上述の目的，その他の目的，特徴および利点は、図面を参照して行う以下の実施例の詳細な説明から一層明らかとなろう。
【００１４】
【実施例】
図１を参照して、この実施例のテレビジョン受像機１０は、複数チャネルのテレビジョン放送信号（高周波）を受信するアンテナ１２を含む。受信されたテレビジョン放送信号はチューナ１４に与えられ、これによって所望のチャネルのテレビジョン放送信号が選択される。選択されたテレビジョン放送信号は周波数変換を施され、チューナ１４からは映像ＩＦ信号および音声ＩＦ信号が出力される。
【００１５】
このうち、映像ＩＦ信号は、映像ＩＦ回路１６によって検波され、ベースバンドのコンポジット映像信号に変換される。変換されたコンポジット映像信号は、映像信号処理回路１８において映像増幅，Ｙ／Ｃ分離，色復調などの処理を施され、輝度信号（Ｙ信号）と、色差信号（Ｒ−Ｙ信号およびＢ−Ｙ信号）とが生成される。映像出力回路２６は、生成された輝度信号および色差信号をスイッチＳＷ１を介して取り込み、この輝度信号および色差信号に基づいてＲＧＢ信号を生成する。ＣＲＴ（Ｃａｔｈｏｄｅ  Ｒａｙ  Ｔｕｂｅ）３６では、生成されたＲＧＢ信号に基づいて電子ビームが発生される。
【００１６】
映像信号処理回路１８はまた、映像増幅されたコンポジット映像信号を文字信号処理回路２０，偏向回路２８および速度変調回路３０に入力する。文字信号が各フレームの第１４Ｈ〜第１６Ｈおよび第２１Ｈならびに第２７７Ｈ〜第２７９Ｈおよび第２８４Ｈに多重されている場合、文字信号処理回路２０は、映像信号から文字信号を分離・複合し、文字や図形（文字情報）を示すＲＧＢ信号を出力する。オペレータがリモコン送信機２４を操作して文字多重モードを設定すると、ＣＰＵ２２が、文字情報の出力期間だけスイッチＳＷ１を文字信号処理回路２０側に切り換える。これによって、文字情報映像に対応するＲＧＢ信号がテレビジョン映像に対応するＲＧＢ信号に混合される。なお、ＣＰＵ２２は速度変調回路３０にもスイッチング信号を出力し、このスイッチング信号は、スイッチＳＷ１の切り換えを制御するスイッチング信号と共通である。
【００１７】
偏向回路２８は、映像増幅されたコンポジット映像信号から垂直同期信号および水平同期信号を抽出し、垂直同期信号に基づいて垂直偏向電流を、水平同期信号に基づいて水平偏向電流を生成する。生成された垂直偏向電流および水平偏向電流は垂直偏向コイル３２ａおよび水平偏向コイル３２ｂを流れ、これによって電子ビームの出射方向が制御される。速度変調回路３０は、コンポジット映像信号から輝度信号を抽出し、輝度信号に基づいて速度変調電流を生成する。速度変調電流は速度変調コイル３４を流れ、これによって電子ビームの出射方向が補正される。
【００１８】
速度変調回路３０は、図２に示すように構成される。コンポジット映像信号を入力する入力端子Ｓ１はＹ／Ｃ分離回路３０ａの入力端と接続され、Ｙ／Ｃ分離回路３０ａの出力端はＨＰＦ３０ｂの入力端と接続される。さらに、ＨＰＦ３０ｂの出力端は、１次微分回路３０ｃの入力端と接続される。１次微分回路３０ｃの出力端は、キャパシタＣ１を介して、トランジスタＴ１のコレクタ，トランジスタＴ２のベースならびに一方端が入力端子Ｓ２に接続された抵抗Ｒ２の他方端と接続される。トランジスタＴ１のベースは、抵抗Ｒ１を介して入力端子Ｓ３と接続され、同じトランジスタＴ１のエミッタは、一方端が接地されたキャパシタＣ２の他方端ならびにトランジスタＴ３のベースと接続される。入力端子Ｓ３には、クランプパルスが入力される。
【００１９】
トランジスタＴ２のコレクタは、電源電圧Ｖｃｃを入力する入力端子Ｓ２およびトランジスタＴ３のコレクタと接続され、トランジスタＴ２のエミッタは、スイッチＳＷ２の入力端子Ｓ５ならびに一方端が接地された抵抗Ｒ３の他方端と接続される。また、トランジスタＴ３のエミッタは、スイッチＳＷ２の入力端子Ｓ６ならびに一方端が接地された抵抗Ｒ４の他方端と接続される。スイッチＳＷ２の出力端子Ｓ７は、コレクタが入力端子Ｓ２と接続されたトランジスタＴ４のベースと接続される。トランジスタＴ４のエミッタは、抵抗Ｒ５を介して接地されるとともに、抵抗Ｒ６を介して２次微分回路３０ｄの入力端と接続される。２次微分回路３０ｄの出力端は出力端子Ｓ８と接続され、出力端子Ｓ８からは速度変調電流（速度変調信号）が出力される。
【００２０】
Ｙ／Ｃ分離回路３０ａによってコンポジット映像信号から抽出された輝度信号は、ＨＰＦ３０ｂを通して１次微分回路３０ｃに入力される。このため、輝度信号が図６（Ａ）に示すように変化する場合、図６（Ｂ）に示す微分信号が１次微分回路３０ｃから出力される。このような微分信号は、キャパシタＣ１でノイズ成分を除去された後、トランジスタＴ２のベースに与えられる。トランジスタＴ２はいわゆるバッファであり、トランジスタＴ２のエミッタから同様の波形を持つ微分信号が得られる。この微分信号は、スイッチＳＷ２の入力端子Ｓ５に与えられる。
【００２１】
キャパシタＣ１を経た微分信号はまた、トランジスタＴ１のコレクタに与えられる。トランジスタＴ１のベースにはペデスタル期間にハイレベルとなるクランプパルスが与えられ、この結果、微分信号にペデスタルクランプがかけられる。クランプされた信号（ペデスタル信号）は、バッファとして機能するトランジスタＴ３を介して、スイッチＳＷ２の入力端子Ｓ６に与えられる。
【００２２】
スイッチＳＷ２は、図１に示すＣＰＵ２２から出力されたスイッチング信号に応答して切り換えられる。このため、スイッチＳＷ２は、テレビジョン映像の出力期間に入力端子Ｓ５と接続され、文字情報映像の出力期間に入力端子Ｓ６と接続される。これによって、テレビジョン映像の出力期間では微分信号が出力端子Ｓ７から出力され、文字情報映像の出力期間ではペデスタル信号が出力端子Ｓ７から出力される。
【００２３】
このようにしてスイッチＳＷ２で混合された混合信号は、バッファであるトランジスタＴ４を介して２次微分回路３０ｄに与えられ、２次微分回路３０ｄはこの混合信号に基づいて速度変調信号を生成する。生成された速度変調信号は、出力端子Ｓ８から出力される。
【００２４】
図３（Ａ）に示すような映像をＣＲＴ３６に表示する場合、つまり、水平方向に白→黒→白と変化するテレビジョン映像に文字情報映像を合成して表示する場合、図２に示す入力端子Ｓ５には図３（Ｂ）に示す微分信号が与えられ、入力端子Ｓ６には図３（Ｃ）に示すペデスタル信号が与えられる。スイッチＳＷ２は、テレビジョン映像の表示期間に入力端子Ｓ５と接続され、文字情報映像の表示期間に入力端子Ｓ６と接続されるため、文字情報を含むラインでは、図３（Ｄ）に示す混合信号がスイッチＳＷ２から出力される。この結果、文字情報映像の表示部分でテレビジョン映像信号に基づく速度変調が実行されることはなく、合成画像の画質が劣化することはない。また、微分信号にはペデスタルクランプがかけられるため、微分信号とペデスタル信号との切り換わり部分で信号レベルが変動することがない。このため、テレビジョン映像と文字情報映像との境目が目立つことはない。
【００２５】
速度変調回路３０の変形例を図４に示す。図４によれば、１次微分回路３０ｃの出力端はトランジスタＴ５のベースおよびトランジスタＴ６のベースと接続される。トランジスタＴ５のコレクタは入力端子Ｓ２と接続され、エミッタは、抵抗Ｒ７を介して接地されるとともに、抵抗Ｒ８を介してスイッチＳＷ３の入力端子Ｓ１２と接続される。また、トランジスタＴ６のエミッタは入力端子Ｓ２と接続され、エミッタは、抵抗Ｒ９を介して接続されるとともに、リアクタンスＬ１を介してスイッチＳＷ３の入力端子Ｓ１３と接続される。リアクタンスＬ１および入力端子Ｓ１３の接続点は、キャパシタＣ４を介して接地される。スイッチＳＷ３の出力端子Ｓ１４は、コレクタが入力端子Ｓ２と接続されたトランジスタＴ７のベースと接続される。トランジスタＴ７のエミッタは、抵抗Ｒ１０を介して接地されるとともに、抵抗Ｒ１１を介して２次微分回路３０ｄの入力端に接続される。なお、入力端子Ｓ２と接地面との間には、キャパシタＣ３が介挿される。
【００２６】
１次微分回路３０ｃから出力された微分信号は、バッファであるトランジスタＴ５を介して入力端子Ｓ１２に与えられる。微分信号はまた、バッファであるトランジスタＴ６ならびにリアクタンスＬ１およびキャパシタＣ４からなるＬＰＦを介して、入力端子Ｓ１３に与えられる。つまり、入力端子Ｓ１３には、微分信号から高域周波数成分が除去された低域周波数信号が与えられる。スイッチＳＷ３は、上述のスイッチＳＷ２と同様、ＣＰＵ２２から出力されたスイッチング信号によって制御される。このため、テレビジョン映像の表示期間では微分信号が選択され、文字情報映像の表示期間では低域周波数信号が選択され、これによって微分信号と低域周波数信号とが混合される。スイッチＳＷ３から出力された混合信号は、バッファであるトランジスタＴ７を介して２次微分回路３０ｄに与えられ、２次微分回路３０ｄから速度変調電流が出力される。
【００２７】
図５（Ａ）に示すような映像をＣＲＴ３６に表示する場合、つまり、表示される色が白および黒の間で頻繁に変化するテレビジョン映像に文字情報映像を合成して表示する場合、入力端子Ｓ１２には図５（Ｂ）に示す微分信号が与えられ、入力端子Ｓ１３には図５（Ｃ）に示す平滑信号が与えられる。スイッチＳＷ３は、テレビジョン映像の表示期間に入力端子Ｓ１２と接続され、文字情報映像の表示期間に入力端子Ｓ１３と接続されるため、文字情報を含むラインでは、図５（Ｄ）に示す混合信号がスイッチＳＷ３から出力される。この結果、文字情報映像の表示部分でテレビジョン映像信号に基づく速度変調が実行されることはなく、合成画像の画質が劣化することはない。また、微分信号に低域周波数信号を混合することで、微分信号と低域周波数信号との切り換わり部分において信号レベルが急峻に変化することがなく、テレビジョン映像と文字情報映像との境目が目立つこともない。
【００２８】
なお、ＰＩＰ方式で表示される部分映像信号としては、上述のような文字情報信号のほかに、ＶＴＲから出力された子画面信号（テレビジョン映像信号）も考えられる。
【図面の簡単な説明】
【図１】この発明の１実施例を示すブロック図である。
【図２】速度変調回路の１実施例の一部を示す図解図である。
【図３】図２実施例の動作の一部を示す図解図である。
【図４】速度変調回路の他の実施例を示す図解図である。
【図５】図４実施例の動作の一部を示す図解図である。
【図６】従来技術の動作の一部を示すタイミング図である。
【符号の説明】
１０…テレビジョン受像機
１８…映像信号処理回路
２０…文字信号処理回路
２６…映像出力回路
２８…偏向回路
３０…速度変調回路
３６…ＣＲＴ
【図１】
0003561666.tif 000002
【図２】
0003561666.tif 000003
【図３】
0003561666.tif 000004
【図４】
0003561666.tif 000005
【図５】
0003561666.tif 000006
【図６】
0003561666.tif 000007